(57)【特許請求の範囲】
【請求項１】
釘を下方に打ち出すドライバを案内する射出口を有するノーズ部の側部に、直線状に連結された連結釘を収容するマガジンの端部を結合させた釘打機において、
上記ノーズ部のマガジン側の上部には連結釘の頭部を案内するガイド壁を一体に突出形成し、このガイド壁の下部の一側には、マガジンの両側に形成された釘ガイド面のうち一側の釘ガイド面と連続する第１の釘ガイド面を一体に形成し、
上記ガイド壁の端部と上記マガジンの釘頭部用ガイド部の前端部とを連続させるとともに、
上記第１の釘ガイド面と対向する側には開閉可能なドア部材を配設し、このドア部材には、上記射出口の一部を構成する射出ガイド面と、連結釘の軸部を案内する第２の釘ガイド面とを形成するとともに、
上記第２の釘ガイド面がノーズ部部の射出口及びマガジン側に連続する釘ガイド面と同一面となる閉鎖位置で上記ノーズ部に対して係止可能なラッチ機構をノーズ部とドア部材との間に形成した
ことを特徴とする釘打機の除釘装置。
【発明の詳細な説明】
【０００１】
【発明の属する技術分野】
本発明は、ノーズ部に詰まった釘を取り除くための釘打機の除釘装置に関する。
【０００２】
【従来の技術】
従来、スティック状に連結された連結釘を使用する連結釘用釘打機は、釘打ち出し用のノーズ部に直鞘状のマガジンを連結し、マガジンに設けられたプッシャーにより連結釘を順次ノーズ部内に供給し、ピストンに結合されたドライバによりノーズ部から釘を打ち出すように構成されている。
【０００３】
【発明が解決しようとする課題】
しかしながら、釘打ち作業においてノーズ部内で釘が座屈してノーズ部内に詰まってしまうことがあるが、ノーズ部内に詰まった釘を除去する為にはノーズ部とマガジンの結合を解除してノーズ部からマガジンを取りはずさなければならず、除釘の作業が大変面倒であった。
【０００４】
本発明は上記問題点を解消し、座屈等でノーズ部内に詰まった釘を容易に取り除くことができるための釘打機の除釘装置を提供することをその課題とする。
【０００５】
【課題を解決するための手段】
前記課題を解決するため、本発明に係る連結釘用釘打機の除釘装置は、釘を下方に打ち出すドライバを案内する射出口を有するノーズ部の側部に、直線状に連結された連結釘を収容するマガジンの端部を結合させた釘打機において、上記ノーズ部のマガジン側の上部には連結釘の頭部を案内するガイド壁を一体に突出形成し、このガイド壁の下部の一側には、マガジンの両側に形成された釘ガイド面のうち一側の釘ガイド面と連続する第１の釘ガイド面を一体に形成し、上記ガイド壁の端部と上記マガジンの釘頭部用ガイド部の前端部とを連続させるとともに、上記第１の釘ガイド面と対向する側には開閉可能なドア部材を配設し、このドア部材には、上記射出口の一部を構成する射出ガイド面と、連結釘の軸部を案内する第２の釘ガイド面とを形成するとともに、上記第２の釘ガイド面がノーズ部部の射出口及びマガジン側に連続する釘ガイド面と同一面となる閉鎖位置で上記ノーズ部に対して係止可能なラッチ機構をノーズ部とドア部材との間に形成したことを特徴とする。
【０００６】
【発明の実施の形態】
図１において符号１は釘打機を示す。この釘打機１はボディ２の内部に打撃シリンダ３を設け、このシリンダ３内を上下に摺動する打撃ピストン４にドライバ５を一体に結合し、グリップ６内に供給された圧縮エアをトリガレバー７ａの引き操作によって打撃シリンダ３内に供給して打撃ピストン４を駆動するように構成されているもので、ボディ２の先端には上記ドライバ５を摺動案内するとともに釘を打ち出す射出口７を備えたノーズ部８が延長形成されている。このノーズ部８の側部には、直線状に連結された連結釘１０を収容するマガジン９の端部が結合されて、マガジン９から供給された釘１０´は打撃ピストン４の駆動によって射出口７の先端から打ち出されるように構成されている。
【０００７】
ところで、上記ノーズ部８にはマガジン９内の連結釘を導入案内する開口部１５が形成されている。この開口部１５の上部には、図２（ａ）に示すように連結釘の頭部を案内するガイド壁１６が一体に突出形成され、ガイド壁１６の下部の一側には、マガジン９の一側の釘ガイド面１１と連続して釘の軸部を射出口７まで案内する第１の釘ガイド面１６ａが形成されている。また、ノーズ部８と一体のガイド壁１６の後端上部には、マガジン９の釘頭部のガイド部９ａの前端部を収容するマガジン受け凹部１８が形成されており、図２（ｂ）に示すように、マガジン９の前端部を収容することにより、その幅方向と上方向の位置を固定する。また、ガイド壁１６の下方には溝１９を形成し、この溝１９に図２（ｂ）に示すようにマガジン９の前端縁９ｂを収容してマガジン９の下方部分の横方向の位置決めをする。さらに、マガジン９の側方へ膨出部分（釘を供給するための定荷重バネ３６を収容する空間）３１の側壁に形成した長溝３１ａとノーズ部８のガイド壁１６との間に取付板（図示せず）を挿し渡して両者をネジ止めすることでマガジン９とノーズ部８とが固定されるように構成されている。
【０００８】
次に、上記ノーズ部８の上記ガイド壁１６と対向する側にはドア部材１７が配設されている。このドア部材１７はノーズ部８に形成された軸受２０に支軸２１で開閉可能に軸支され、図３（ａ）に示すように、内側面には釘の軸部を射出口７まで案内する第２の釘ガイド面１７ａと射出口７の内壁の一部を構成する射出ガイド面１７ｂとが形成され、開いた時には、図２（ｂ）及び図３（ｂ）に示すように、ノーズ部８の内部（射出口７）が開放されるように構成されている。
【０００９】
そして、ドア部材１７には、ドア部材１７をノーズ部８に係止するラッチ機構が設けられている。このラッチ機構は、図４（ａ）に示すように、ドア部材１７の上部に形成されたガイド２５内に上下動可能に収容され、常にスプリング２６で上動するように付勢されたラッチ爪２７と、ノーズ部８に形成された係止孔２８とからなり、閉鎖時にはラッチ爪２７が係止孔２８に係合してドア部材１７をノーズ部８に係止し、ラッチ爪２７に突出形成されたレバー２９をスプリング２６に抗して押し下げることにより、ラッチ爪２７と係止孔２８との係合が外れ、ドア部材１７を開くことができるように構成されている（図４（ｂ）参照）。ドア部材１７が閉鎖されたときは、上記第２の釘ガイド面１７ａがノーズ部８の射出口７及びマガジン９側に連続する釘ガイド面９ｃと同一面となる。
【００１０】
なお、マガジン９には図５に示すように内部に装填された釘をノーズ部８の射出口７内に押し出すプッシャ３０が設けられている。このプッシャ３０はマガジン９に長手方向に形成された膨出部３１及び凹溝３２(図２(a)参照)に摺動可能にガイドされるとともに、支軸３３が釘頭部ガイド溝３４にガイドされ、支軸３３に回転可能に軸支されたドラム３５には定荷重バネ３６の一端が固定され、他端がガイド壁１６にネジ４０で固定され、定荷重バネ３６の巻き戻り力で常にノーズ部８方向に付勢され、先端に突出形成された押圧突部３７でマガジン９内の釘１０を常にノーズ部８の射出口７内に順次供給できるように構成されている。
【００１１】
そして、上記プッシャ３０の側面には、操作レバー３８がマガジン９の外方に突出するように形成され、定荷重バネ３６に抗して操作レバー３８を引くことにより釘の押圧を解除できるように構成されている。
【００１２】
上述のように構成された釘打機において、座屈等で釘がノーズ部８内に詰まった時は、ラッチ機構のレバー２９を押し下げてラッチ爪２７を係止孔２８から外し、ドア部材１７のラッチ機構を解除してドア部材１７を開きノーズ部８の内部（射出口７）及び連結部を開放する。次に、プッシャ３０の操作レバー３８を定荷重バネ３６に抗して引き戻し、釘の押圧を解除して未使用の連結釘を後退させる。このようにしてノーズ部８を開放して射出口７内に詰まった釘を容易に取り出すことができる。
【００１３】
なお、ドア部材１７がノーズ部８に係止されていない時は、トリガレバー７ａが操作できないようにしてもよい。このことにより、ドア部材１７が開いた状態で釘打機が作動するトラブルの発生を防止することができる。
【００１４】
【発明の効果】
請求項１に係る発明によれば、ノーズ部内に釘が詰まった際、ラッチ機構を操作してドア部材を開くことによりノーズ部の射出口及び連結部を開放することができ、射出口内に詰まった釘を除去する作業を簡単に行うことができる。
【００１５】
また、釘が射出口内で座屈するとドア部材を開ける方向に大きな外力が作用するが、ドア部材はラッチ機構によりノーズ部に係止されているため、作業者が意識的に係止解除操作をしない限り不用意に開いてしまうことはない。
【図面の簡単な説明】
【図１】本発明に係る連結釘用釘打機の側面図
【図２】（ａ）（ｂ）はノーズ部とマガジンとの連結状態を説明する斜視図
【図３】（ａ）（ｂ）はノーズ部を切断した連結釘用釘打機の要部底面図
【図４】（ａ）（ｂ）はラッチ機構の作動状態を説明するノーズ部の要部断面図
【図５】（ａ）（ｂ）はドア部材の開閉状態とプッシャの作動状態を説明する要部を切断したノーズ部及びマガジンの底面図
【符号の説明】
１  連結釘用釘打機
２  ボディ
８  ノーズ部
９  マガジン
１０  連結釘
１５  開口部
１６ａ  第１の釘ガイド面
１７  ドア部材
１７ａ  第２の釘ガイド面
１７ｂ  射出ガイド面
【図１】
0003724545.tif 000002
【図２】
0003724545.tif 000003
【図３】
0003724545.tif 000004
【図４】
0003724545.tif 000005
【図５】
0003724545.tif 000006